(57)【特許請求の範囲】
【請求項１】
前輪(3) と後輪(4) を備えると共に、後輪の少なくとも機体内方側および上方側をフェンダ(5) により覆ってなる作業車輛において、前記機体内方側のフェンダ(5) の後方に、その前端側を機体内方側のフェンダ(5) の側面に沿わせると共に、その後端側を後輪(4) 側に折り曲げて、その端部がフェンダ(5) の側面より後輪(4) 側に突出するスクレーパ(23)を設け、当該スクレーパ(23)の前端側は、後方に延長されたフェンダ(5) の機能を発揮して、トランスミッションケース(9) の上部に設けた油圧ケース(13)上に泥土が堆積することを防止し、また、スクレーパ(23)の後端側は、後輪(4) に付着した泥土を掻取って、フェンダ(5) が変形したり破損することを防止するように構成する作業車輛。
【発明の詳細な説明】
【０００１】
【発明の属する技術分野】
本発明は、前輪および後輪を備えた農業用トラクタ、或いは乗用型田植機等の作業車輛に関し、特に後輪に付着した泥土を事前に掻取ることによって後輪を覆うフェンダの変形を防止するものである。
【０００２】
【従来の技術】
従来、前輪および後輪を備えた農業用トラクタにおいては、その作業の特殊性から圃場内の泥土，泥水，塵埃等が回転するラグ付車輪に持ち廻られて、運転者はもとより車輪の周辺部に飛散して機体等に付着・堆積するため、特に泥除け用のフェンダが後輪の機体内方側、上方側、或いは前方側を覆うように設けられている。
しかし、このフェンダは機体の軽量化等のために薄い鋼板で製作したり、樹脂により一体成形して製作されているため、後輪に付着した泥土が成長して大きな土塊となってフェンダに衝突すると、フェンダが変形したり破損してしまうという虞がある。
【０００３】
また、農業用トラクタにおいては、機体の後部側に設けたトランスミッションケースの上部に、各種のセンサーやハーネス及び油圧バルブ等が収納された油圧ケースを備えており、これらの部材に後輪が撥ね上げた石や泥土が衝突するとセンサーやハーネスが破損したり、或いは油圧バルブ等を交換修理する場合にこれらに堆積した泥土を取り除いてから作業を行わなければならず、何れも装置の耐久性や機能に支障をきたしたり、整備性を悪化させる。
【０００４】
【発明が解決しようとする課題】
従って、作業車輛の後輪に付着した土塊や泥土等を積極的に掻落として、フェンダの変形を防止したり、飛散する泥土や泥水等が機体後部にある各種のセンサーや油圧装置等に飛散して付着・堆積しないように防御し、且つこれ等の装置を保護することが要望される。
本発明の目的は、上記従来の不具合を改善する点にある。
【０００５】
【課題を解決するための手段】
上記目的を達成するため、本発明は、前輪と後輪を備えると共に、後輪の少なくとも機体内方側および上方側をフェンダにより覆ってなる作業車輛において、前記機体内方側のフェンダの後方に、その前端側を機体内方側のフェンダの側面に沿わせると共に、その後端側を後輪側に折り曲げて、その端部がフェンダの側面より後輪側に突出するスクレーパを設け、当該スクレーパの前端側は、後方に延長されたフェンダの機能を発揮して、トランスミッションケースの上部に設けた油圧ケース上に泥土が堆積することを防止し、また、スクレーパの後端側は、後輪に付着した泥土を掻取って、フェンダが変形したり破損することを防止するように構成することを特徴とする。
【０００６】
【発明の実施の形態】
以下、本発明の実施の形態の一例を図面に基づいて説明する。
図１は、農業用トラクタの全体斜視図であって、１は走行機体、２は機体１の前部にあって、内部にエンジン等を収納したボンネット、３は前輪、４は後輪、５は後輪４の機体内方側、上方側、及び前方側を覆う防泥用のフェンダ、６は運転席の周囲に設けられたキャビンであり、７は運転者が走行機体１への昇降の際に利用するステップである。
【０００７】
図２は後輪の部分を仮想線で表した要部の側面図、図３は要部の背面図であって、９は前方のエンジンからの動力を、後輪４や後部に装着する作業機（図示せず）に伝達するための変速装置を内装したトランスミッションケースであって、その後端部は、図３に示す如く、左右の後輪４，４の中央後部に臨んでいる。そして、トランスミッションケース９の両側にはリヤアクスルケース１０が固定されており、リヤアクスルケース１０は両後輪４，４に対して動力を伝導する減速装置、及び制動装置が内装されている。
【０００８】
そして、上記トランスミッションケース９の後部には、各種の作業機に動力を伝導するためのＰＴＯ軸１１とその上部に伝導軸の後部の穴を塞ぐためのキャップ１２が備えられている。
また、トランスミッションケース９の後部上方には作業機を昇降するためのリフトシリンダが内装された油圧ケース１３が固定されており、油圧ケース１３の上面等にはチェックバルブ１４，ソレノイドバルブ１５，コントロールバルブ１６・・・等のリフトシリンダ作動用の油圧機器等が固定されている。
【０００９】
次に、前記したキャビン６の後部の取付けについて説明するに、上記リヤアクスルケース１０より上方に立ち上がった左右のブラケット１８，１８に、緩衝材１９を介して後方支柱２０と一体のフレーム２１を緊締具２２にて強固に取付けている。
【００１０】
一方、２３は泥除け用のスクレーパであって、該スクレーパ２３は左右後輪４，４のフェンダ５，５の機体内側で、且つフェンダ５の後部側に面して備えられており、図２の側面視で示すように、その後端は上記トランスミッションケース９の後端より更に後方に迄突出しており、その下部は、取付板２４によって上記キャビンを支持するフレーム２１にボルト２５で固定され、また上部は、キャビン６のフレーム２６にボルト２７で固定されている。
また、スクレーパ２３の後部側は後輪４側に折り曲げて、縦方向に長いリブ（端部）２３ａを形成しており、図３で見て下部側が後輪４側に突出してフェンダ５よりも後輪４側に接近した構成となっている。
なお、２８はフェンダ５の上方後部に設けられた後尾灯、２９はロアリンクブラケット、３０はチェックチェンブラケットである。
【００１１】
本発明は、以上のような構成よりなっており、機体１前方に備えたエンジンからの動力は、トランスミッションケース９内に設けた変速装置とリヤアクスルケース１０に内装した終減速装置を介して後車軸に伝達され、左右の後輪４，４が駆動回転される。
そして、後輪４が図２の矢印方向に回転（前進）すると、後輪４は圃場内の泥土や泥水，塵埃等を後輪４の回転と共に持ち上げ、周囲に飛散させるが、フェンダ５の存在により大部分の泥土や泥水等が受け止められ、運転者や走行機体１への飛散が防止されるものである。
【００１２】
また、機体内方側のフェンダ５の側面に沿って設けるスクレーパ２３の前端側は、後方に延長されたフェンダ５の機能を発揮するものであって、後輪４が撥ね上げた泥土がスクレーパ２３の存在によって、トランスミッションケース９の上部に設けた油圧ケース１３上に堆積すること、或いは油圧ケース１３に固定したソレノイドバルブ１５等に対するハーネス、又はその近くに設置したリフトシリンダの昇降量を検出するセンサー類（図示なし）への泥土の付着を防止するものである。
さらに、スクレーパ２３の後端側は後輪４側に折り曲げて、その端部２３ａがフェンダ５の側面より後輪４側に突出させてあるから、当該スクレーパ２３の端部２３ａは略後輪４のタイヤ内周部分に近接する。そのため、後輪４に付着した泥土が成長して、機体内方側のフェンダ５に近づくとスクレーパ２３がこれを掻取って圃場に落下させるので、それ以上の大きな土塊が形成されてこれがフェンダ５に衝突してフェンダ５が変形したり破損してしまうという不具合が未然に防止される。
【００１３】
従って、本発明によるとフェンダ５に大量の泥土等が衝突することによって起こるフェンダ５の変形を防止できるのは勿論のこと、各種のセンサーやハーネス，油圧バルブ・・・等の耐久性や機能に支障を来すようなことがなくなるものである。
しかも、上記スクレーパ２３は上下の位置で、機体１のフレーム２１，２６に強固に取り付けてあり、また、実施例の鋼板で構成するフェンダ５の板厚より厚い鋼板によって形成しているので、スクレーパ２３自体が変形することも少なく、機体の軽量化のためにフェンダ５の強度を最小限に抑えてもフェンダ５を保護して、スクレーパ２３としての役目を充分果たすものである。
【００１４】
【発明の効果】
本発明は前述の如く、前輪３と後輪４を備えると共に、後輪の少なくとも機体内方側および上方側をフェンダ５により覆ってなる作業車輛において、前記機体内方側のフェンダ５の後方に、その端部がフェンダ５の側面より後輪４側に突出するスクレーパ２３を設け、当該スクレーパ２３によって後輪に付着した泥土を掻取るように構成するものであるから、後輪４に付着した泥土が成長して大きな土塊になろうとすると、スクレーパ２３がこれを後輪４から積極的に掻落とすので、フェンダ５の変形や破損か未然に防止され、安定した走行のもとに作業を快適に行うことができる。
【００１５】
また、スクレーパ２３の前端側を機体内方側のフェンダ５の側面に沿わせると共に、その後端側を後輪４側に折り曲げて、当該折り曲げた端部によって後輪に付着した泥土を掻取るように構成すると、スクレーパ２３の前端側は後方に延長されたフェンダ５の機能を発揮し、特に機体の後部側に設けるセンサーやハーネスの破損が防止されると共に、油圧ケース１３上への泥土の堆積が防止できて、これらの装置の耐久性及び整備性を向上させることができる。
【図面の簡単な説明】
【図１】農業用トラクタの全体斜視図である。
【図２】後輪を仮想線で表した要部の側面図である。
【図３】農業用トラクタの背面図である。
【符号の説明】
１  走行機体
３  前輪
４  後輪
５  フェンダ
６  キャビン
９  トランスミッションケース
１０  リヤアクスルケース
１３  油圧ケース
１８  ブラケット
２１，２６  フレーム
２３  スクレーパ
２３ａ  リブ（後端）
２４  取付板
【図１】
0004250200.tif 000002
【図２】
0004250200.tif 000003
【図３】
0004250200.tif 000004